(57)【要約】      （修正有）【課題】使用済のペットボトルや空缶の資源を利用可能な、美的外観に優れる花挿しであって、組立・作製が簡便なものを提供する。【解決手段】本考案の花挿しは、自立可能な筒体１と蓋片２から成る紙製のものであって、筒体１の上部開口から内部に容器を、容器の口部を上にして収容して使用するものであり、蓋片２が、筒体１の上部に、筒体１の上部開口を開閉自在に設けられており、かつ、蓋片２が花茎を挿通するための開通部１１を有し、筒体１が、その下方側面の互いに対向する複数の箇所にスリット１３を有し、スリット１３を境として筒体側面を部分的に筒体内部へ凹ませることにより、筒体内部において、容器の底を実質的に水平に支持し得る台座が形成されるようになっている。【選択図】図１
0003129424.tif 000002
【実用新案登録請求の範囲】
【請求項１】
自立可能な筒体と、この筒体の上部開口を覆う蓋片とから成る紙製の花挿しであって、前記筒体の上部開口から内部に、容器を、当該容器の口部を上にして収容して使用するものであり、
前記蓋片が、前記筒体の上部に、当該筒体の前記上部開口を開閉自在に設けられており、かつ、前記蓋片が、花茎を挿通するための開通部を有し、
前記筒体が、その下方側面の互いに対向する複数の箇所にスリットを有し、
前記スリットを境として当該筒体の側面を、当該筒体の自立性を損なわない程度に部分的に当該筒体の内部へ凹ませることにより、当該筒体の内部において、前記容器の底を実質的に水平に支持し得る台座が形成されるようになっていることを特徴とする花挿し。
【請求項２】
前記容器が狭口の容器であり、前記蓋片が、前記筒体の上部開口を覆った際に、前記筒体の内部に収容された前記容器の狭口部と重なる箇所に前記開通部を有することを特徴とする請求項１に記載の花挿し。
【請求項３】
前記筒体が、一枚の厚紙を巻いて筒形にしたものであり、前記厚紙が、その巻き終わり端部に突出部を有し、かつ、前記筒形に巻いた際に前記巻き終わり端部の下に重なる箇所に前記突出部を挿入するための切り込みを有し、前記突出部を前記切り込みに挿入および掛止することにより前記厚紙が前記筒形の形状を保持することを特徴とする請求項１または請求項２に記載の花挿し。
【請求項４】
前記筒体の後方部に、掛具の掛部を挿通するための孔を設けたことを特徴とする請求項１〜３のいずれか１項に記載の花挿し。
【請求項５】
前記蓋片が、前記筒体の上部開口より僅かに小さく成形された紙板であり、当該蓋片の縁の一部が前記筒体の上端縁の一部と連結しており、かつ、前記筒体の上端縁が、前記蓋片との当該連結箇所にかけて低くなるように形成されていることを特徴とする請求項１〜４のいずれか１項に記載の花挿し。
【請求項６】
前記筒体の底部に支持部材を装着して成り、前記支持部材が、安定に自立可能な上部開口の半筒形の筺体であって、当該筺体の上部開口および内部が、当該上部開口から内部に前記筒体の底部を安定に嵌合可能に形成されたものであることを特徴とする請求項１〜５のいずれか１項に記載の花挿し。
【請求項７】
前記筒体の外周壁面にメッセージを表示したことを特徴とする請求項１〜６のいずれか１項に記載の花挿し。
【考案の詳細な説明】
【技術分野】
【０００１】
本考案は、作製簡便にして美的外観に優れ、使用済のペットボトルや空缶等の資源ゴミを利用可能な花挿しに関するものである。
【背景技術】
【０００２】
近年、日々大量に排出される使用済のペットボトルや空缶等を如何に処理するかが大きな問題となっており、これら資源ゴミを再利用する、原料化する等による解決が図られている。
ところで、かかる空容器は収容機能が高く、中に水を入れて花を生けたり、空の状態で造花を差し込んだりできるので、かかる空容器を花瓶として使用すれば、前記問題を解決する一助になる。しかし、何ら装飾を施すことなくかかる空容器をそのまま用いたのでは、あまりに趣を欠く。
【考案の開示】
【考案が解決しようとする課題】
【０００３】
本考案は、使用済のペットボトルや空缶等の容器を利用可能な、美的外観に優れる花挿しであって、組立・作製が簡便なものを提供することを課題とする。
【課題を解決するための手段】
【０００４】
本考案の花挿しは、自立可能な筒体と、この筒体の上部開口を覆う蓋片とから成り、紙で構成され、前記筒体の上部開口から内部に、容器を、当該容器の口部を上にして収容して使用可能に構成されて成り、
前記蓋片が、前記筒体の上部に、当該筒体の前記上部開口を開閉自在に設けられており、かつ、前記蓋片が、花茎を挿通するための開通部を有し、
前記筒体が、その下方側面の互いに対向する複数の箇所にスリットを有し、
前記スリットを境として当該筒体側面を、当該筒体の自立性を損なわない程度に部分的に当該筒体の内部へ凹ませることにより、前記筒体の内部において、前記容器の底を実質的に水平に支持し得る台座が形成されるようになっていることを特徴とする。
【０００５】
前記筒体は、内部に容器を収容して、主として容器を装飾する機能を果たすものであり、内部に容器を安定に収容可能な、円筒形、角筒形等のあらゆる筒形が可能である。特に、内部にかかる容器を適合状態で収容可能な形状のもの、即ち、収容した際に、当該筒体の内周壁面と当該容器の外周壁面の間に、例えば0.1〜1cmといった僅かな隙間だけ空けて、容器がぴたりと収まるようなサイズおよび形状の内部空洞を有するものが好ましい。前記筒体は、例えば、当該筒体の下端縁を、当該下端縁全周が、当該筒体の中心軸に対して実質的に直交する一仮想平面上に乗るように形成することにより、実質的に自立可能に形成できる。
前記筒体は、筒形の形状で提供できるが、一枚の厚紙から成る展開パネルの形態で提供して、使用に際して筒形に組み立てるようにしてもよい。展開パネルとして提供する場合、運搬や保管上嵩張らず好都合であるのみならず、使用者に組み立てる楽しみも提供できる。
また、前記筒体には、後方部に、紐やフック等の掛具の掛部を挿通するための孔を設けることができ、掛具を介して花挿しを、壁や柱等に釣り下げて飾ることができる。
【０００６】
前記蓋片は、前記筒体内部に収容された容器を遮蔽すると共に、その中央部に設けられた開通部に花茎を挿通して当該花茎を安定に支持するためのものであり、例えば、前記筒体の開口を塞ぎ得る形状の紙板に開通部を設けたものである。開通部は、花茎を挿通可能なあらゆる形状、例えば穴、切り込み等をとることができる。ここで、本考案の花挿しには、上部に開口を有するあらゆる容器を収容・使用でき、前記開通部に花茎を挿通して、花茎の先端部を容器内部に収容して、花を安定した状態で生けることができ、例えば、汎用されているペットボトルや飲料用缶等の狭口の容器を使用することができる。特にかかる狭口の容器を使用する場合、当該蓋片が当該筒体の上部開口を覆った際に、筒体の内部に収容された当該容器の狭口部と重なる箇所に前記開通部を設けることにより、かかる狭口容器を用いて当該蓋片により、より安定に花茎を支持できる。
【０００７】
前記筒体の下方側面に設けられる前記スリットは、当該スリットを境に前記筒体の側面を凹ませるために前記筒体の側面に作製される切り込みであり、好ましくは、前記筒体の下方側面の互いに対向する複数の箇所の各箇所において、１本形成されるか、または当該各箇所において軸方向に２本並列で形成される。即ち、かかるスリットを当該各箇所において１本形成した場合は、当該スリットから下方の筒体側面部を筒体内部に凹ませることができ、また、かかるスリットを当該各箇所において筒体の軸方向に２本並列に形成した場合は、当該２本のスリットの間の箇所を筒体内部に凹ませることができる。そして、例えば前記各箇所において１本のスリットを形成する場合は、複数の当該スリットが筒体の中心軸に対して実質的に直交する一仮想平面上に乗るように、また、例えば前記各箇所において軸方向に２本のスリットを形成する場合は、各箇所において上方に位置するスリットが複数、筒体の中心軸に対して実質的に直交する一仮想平面上に乗るように、前記スリットを設けることで、スリットを介して作成される凹みの上端縁において、容器を実質的に水平に載置できる。即ち、本考案は、このような凹みから成る、容器を載置するための台座を筒体内部に作成できることを特徴の一つとする。かかるスリットは、スリットを境として筒体側面を凹ませた際に筒体の自立性を損なわない程度の長さ、例えば、筒体の下方部の外周の１／５〜１／３の長さで設けられる。
なお、本明細書中、筒体側面の筒体内部への凹みに関して、「筒体の自立性を損なわない程度」とは、当該側面を凹ませた状態で筒体が自立できる程度を意味する。
【０００８】
本考案の花挿しは、所望により、前記筒体の底部に、前記筒体をより安定に自立させるための支持体を装着して使用できる。かかる支持体としては、例えば、安定に自立可能な上部開口の半筒型の筺体であって、当該筺体の上部開口および内部が、当該上部開口から内部に前記筒体の底部を安定に嵌合できるように形成されたものを好適に使用できる。
前記筒体および前記蓋片はいずれも、一般的に使用・市販されている厚紙を用いて作製でき、例えば0.2mm〜1cm厚のものを好適に用いることができる。また、かかる厚紙としては、上質紙、再生紙等のあらゆる種類のものを使用でき、また、紙の材料として茶殻等の廃棄される資源物を添加物として混ぜ込んだものも使用できる。
前記支持部材としての筺体としては、前記筒体および蓋片と同質の紙材の他、木、樹脂その他の種々の材から成るものを好適に使用できる。
【０００９】
本考案の花挿しは、造花および生花のいずれも飾ることができる。造花を飾る場合には、筒体内部に収容される容器に水を入れる必要がなく、本考案の花挿しが紙製であることから花挿しが安定性を欠く場合があるが、かかる場合には、適宜、当該容器内部に砂や重石等の重量物を入れることにより対処できる。生花を飾る場合には、筒体内部に収容される容器に水を入れて生花を生けることができ、かかる場合は特に、筒体および蓋片に撥水加工を施すことが好ましい。
本考案の花挿しは、しかし、単に花を飾るだけでなく、前記筒体の外周壁面に、例えば企業のキャッチフレーズ、スローガンや標語等のメッセージを表示することによりメッセージ提示機能を持たせ、例えばノベルティ商品等として活用することもできる。かかるメッセージの表示は、前記筒体の外周壁面に直接メッセージを記載する、前記筒体の外周壁面にメッセージを記載したシールラベルを貼り付ける、帯状ラベルを巻き付ける等によりなすことができる。
【考案の効果】
【００１０】
本考案の花挿しは、人を和ませ得る美的外観を有し、組立・作製が簡便であり、また使用済のペットボトルや空缶の資源ゴミ処理問題の解決に寄与する。また、企業のキャッチフレーズやスローガン等のメッセージを掲げたノベルティ商品等としても活用できる。
[実施例]
以下、実施例を用いて本考案の花挿しを説明する。
[実施例１]
図１に示す本考案の花挿しは、筒体１と、筒体１の上部に設けられた板状の蓋片２とから成る。筒体１は、円筒の後方部６を平坦にした変形円筒形状であり、内部に、直径約6.5cm、高さ約12cmのアルミ製の空缶（図３ＡおよびＣの符号３）を収容できる。
即ち、筒体１は、横断面が空缶３の横断面より0.5〜2mm程度大きく形成されており、筒体１の下端縁１４から蓋片２までの高さＨは約14.5cmで、空缶３を収容した状態での筒体１の前方部から後方部までの長さ(Ｌ１)は約7cmである。筒体１は、図２に示す一枚の厚紙から成る展開パネル４で構成され、使用に際して、展開パネル４を筒形に巻いて組み立てるようになっている。展開パネル４は、縦(ｌ)21cm、横(ｗ)25cmの一枚の略長方形の厚紙の縦方向一端部において、蓋片２を構成する部分５〔径(Ｌ２)6.5cm〕と、筒体１の上端部の前方部から側方部を構成する箇所１８を残してその周囲を切り取ることにより作成され、蓋片２を構成する部分５は、筒体の後方部６を構成する箇所の上方に連続的に形成されている。厚紙の横方向一端部には、変形四角形状の突出部７が２つ設けられており、筒体１に組み立てる際、突出部７に対向する厚紙他端部を巻き始めとし、突出部７が設られた厚紙一端部は巻き終わりとなる。この厚紙には、筒形に巻いた際に、巻き終わり端部の下、詳しくは突出部７の根元の下に重なる箇所に、突出部７の最も太い箇所の幅ｂより2mm短い切り込み８が設けられている。突出部７の根元は若干切り欠かれて切欠部９が形成されており、展開パネル４を筒形に巻き上げて、突出部７を切り込み８に挿入すると、切欠部９が切り込み８の対応する端部９'に掛止され、展開パネル４は筒形の形状を保持する。
【００１１】
この筒体１は、下端側面の互いに対向する箇所にスリット１３を有し、スリット１３を境にその下方部分１５を筒体１の内部へ凹ませることにより、筒体内部において容器３の底を実質的に水平に載置し得る台座（図３Ｃの符号１９）を形成できる。詳しくは、この台座１９は、展開パネル４において、その下端部に、筒体１の下端縁１４の全周の約四分の一に相当する長さ（約5cm)のスリット１３を２本、共に展開パネル４の下端縁(１４-２)から1cm(Ｉ２)の箇所に、下端縁(１４-２)に対して略平行に、互いに5.5cmの間隔(Ｉ１)を空けて形成し、展開パネル４を筒形に組み立てた状態で、スリット１３の下方部分１５を筒体１の内部へ凹ますことにより作成される（図３Ｃ）。即ち、このように互いに対向配置で筒体内部に凹んだ２つのスリット下方部分１５の上端縁の上に、空缶３の底部を載置できる。スリット１３は、その長手方向両端において折り目１６を付けることにより、筒体内部に凹んだ状態を保持でき、この状態でも筒体１は安定な自立性を保持する。
【００１２】
蓋片２は、筒体１の横断面より0.1〜3mm程度小さく形成されており、筒体１との境界部分１０を折り曲げ線として、筒体１の開口側に倒すことにより、筒体１の開口を塞ぐことができる（図３Ａ）。蓋片２の中央部の、筒体前方部寄りには長さ2.5cmのスリットが３本、アステリスク状に形成されて、花茎を貫通させるための開通部１１を形成している。かかる構成により、空缶３の口部１２を上にして、筒体１の開口から内部に空缶３を収容し（図３Ｂ）、この状態で蓋片２を筒体１の開口の上に倒すと（図３Ａ）、蓋片２の開通部１１が空缶３の口部１２の上に重なり、花茎を真っ直ぐに、開通部１１と空缶の口部１２に挿通できる。
【００１３】
この花挿しは、別途支持部材を用いなくても、台座１９を形成した状態で自立できるが、いっそうの安定性を付与するため、筒体１の底部に支持部材を装着しても使用できる。図４Ａは、支持部材として、単独で安定に自立可能な、横断面正方形の半筒形の筺体１７を使用した状態を示す。筺体１７は、厚さが2mmの厚紙から成り、内部が、縦6.8cm、横6.8cm、深さ3.4cmの空洞となっており、筺体１７の上部開口から内部に、筒体１の底部を実質的に密着状態で嵌合でき、この状態で筒体１を非常に安定に自立させることができる。
この花挿しは、また、筒体１の外周壁面にメッセージを表示することにより、メッセージ提示機能を持たせることができる。図４Ｂは、筒体１の外周壁面に、メッセージを記載した帯状のラベル２１を巻き付けた状態を示す。
【００１４】
なお、この花挿しには、筒体１の後方部寄りに、平坦箇所６を挟んで両側に対称的に直径7mmの孔２０が２個設けられており、この孔２０に掛紐を通して、この掛紐により、この花挿しを壁等に飾ることもできる。さらに、例えば、筒体の後方部６に、孔２０'を設けることもでき、壁等に設けられた係止部をこの孔２０'に貫通させる等により、この花挿しを壁等に飾ることもできる。このように本考案の花挿しを掛具に掛けて飾る場合は、支持部材は不要である。なお、この場合、スリット１３により形成された凹みは、筒体１の底部を非常に体裁よく、すっきりと見せる効果を奏する。
この花挿しでは、筒体１の上端縁１９が後方部６にかけて低くなるように成形されているため、蓋片２で筒体１の開口を塞いだ状態で、筒体１の正面から蓋片２が見えず、特に正面からの見栄えがよい。
【００１５】
[実施例２]
図５Ａに筒体の底部のみを示す本考案の花挿しは、図１に示す花挿しにおけるスリット１３を設けた箇所に、スリット１３に代えて、筒体の下端縁１４の全周の約四分の一に相当する長さの一対のスリット１３'を設けたことを除いて、図１に示す花挿しと同じ構成の筒体１'から成る。即ち、一対のスリット１３'を構成する上側のスリット(１３'-１)は、筒体１'の下端縁１４'から2cmの箇所に、下側のスリット(１３'-２)は、下端縁１４'から1cmの箇所に、いずれも下端縁１４'に対して実質的に平行に設けられている。
筒体１'は、図１に示す花挿しを構成する展開パネル４と、スリットの態様のみ異なる同じ構成の展開パネル４'から成る。展開パネル４'を筒形に組み立ててスリット間部分１５'を筒体内部へ凹ませると、筒体１'の内部に、筒体１'が直立した状態において、容器底部を実質的に水平に支持し得る台座が形成される。スリット間部分１５'は、その長手方向両端において折り目１６'を付けることにより、筒体内部に凹んだ状態を保持でき、この状態でも筒体１'は安定な自立性を保持できる。
前記実施例では空缶を使用するタイプの花挿しの例を示したが、前記実施例における筒体１の高さＨと蓋片２の開通部１１の位置を、使用する容器の形状に応じて適宜変更して、使用する容器に適合した形状の本考案の花挿しを作製できる。  
【図面の簡単な説明】
【００１６】
【図１】図１は、本考案の花挿しの一例(空缶を使用するタイプ)を示す斜視図である。
【図２】図２は、図１に示す本考案の花挿しを構成する展開パネルを示す図である。
【図３】図３は、図１に示す本考案の花挿しを別の方向から見た図である。Ａは、蓋片を閉じた状態の前記花挿しの上面図であり、Ｂは、空缶を収容して蓋片を開けた状態の前記花挿しの上面図であり、Ｃは、空き缶を収容した状態の前記花挿しの底面図である。
【図４】図４は、図１に示す花挿しの使用態様例を示す図である。Ａは、支持部材を装着して使用する場合を示す斜視図であり、Ｂは、メッセージを記載した帯状ラベルを取り付けて使用する場合を示す正面図である。
【図５】図５は、本考案の花挿しの別の例を示す図である。Ａは、前記花挿しの底部を示す斜視図であり、Ｂは、前記花挿しを構成する展開パネルを示す図である。
【符号の説明】
【００１７】
１、１'  筒体
２  蓋片
３  容器（空缶）
４、４'  展開パネル
５  蓋片を構成する部分
６  後方部
７  突出部
８  切り込み
９  切欠部
１０  蓋片と筒体の境界部分
１１  開通部
１２  容器の口部
１３、１３-１、１３-２  スリット
１３'  一対のスリット
１４、１４'  筒体の下端縁
１４-２、１４'-２  展開パネルの下端縁
１５  スリット下方部分
１５'  スリット間部分
１６  スリット下方部分の両端部
１６'  スリット間部分の両端部
１７  支持部材(筺体)
１８  筒体の上端部の前方部から側方部を構成する箇所
１９  筒体の上端縁
２０、２０'  孔
２１  帯状のラベル
Ｈ  筒体の下端縁から蓋片までの高さ
Ｉ１  スリット間の間隔  
Ｉ２  展開パネルの下端縁からスリットまでの距離
Ｌ１  筒体の前方部から後方部までの長さ
Ｌ２  蓋片を構成する部分の径
【図１】
0003129424.tif 000003
【図２】
0003129424.tif 000004
【図３】
0003129424.tif 000005
【図４】
0003129424.tif 000006
【図５】
0003129424.tif 000007